(57)【要約】【課題】簡単な構成で確実に作業用接地外しの確認が行える作業用接地外し確認装置、及び変電所の遮断器の投入を適切に制御することができる制御システムを提供する。【解決手段】高圧側の一端１４を送電線１０１に、高圧側の他端１５を大地と接続する接地検出用変圧器１３と、前記接地検出用変圧器１３の低圧側に交流電源を供給する電源回路、前記接地検出用変圧器の低圧側と前記電源回路との間に介装された電流測定回路、前記送電線に作業用接地が接続しているか否かを判定する判定回路を備える確認装置２１と、を含み、電源供給が停止されている前記送電線１０１に対して、前記電源回路から前記接地検出用変圧器１３に交流電源を供給し、このとき前記電流測定回路が検出する電流と予め設定された閾値とを比較し前記送電線１０１に作業用接地が接続しているか否かを判定する。【選択図】図１
2018102024.tif 000002
【特許請求の範囲】
【請求項１】
高圧側の一端を送電線に、高圧側の他端を大地と接続する接地検出用変圧器と、
前記接地検出用変圧器の低圧側に交流電源を供給する電源回路、前記接地検出用変圧器の低圧側と前記電源回路との間に介装された電流測定回路、前記送電線に作業用接地が接続しているか否かを判定する判定回路を備える確認装置と、
を含み、
電源供給が停止されている前記送電線に対して、前記電源回路から前記接地検出用変圧器に交流電源を供給し、このとき前記電流測定回路が検出する電流と予め設定された閾値とを比較し前記送電線に作業用接地が接続しているか否かを判定することを特徴とする作業用接地外し確認装置。
【請求項２】
前記閾値は、電源供給が停止されている前記送電線に対して予め取得された、
前記送電線に作業用接地が接続されていない状態で前記電源回路から前記接地検出用変圧器に交流電源を供給したとき、前記電流測定回路が検出する電流値、
及び／又は、前記送電線に作業用接地が接続された状態で前記電源回路から前記接地検出用変圧器に交流電源を供給したとき、前記電流測定回路が検出する電流値に基づき設定されることを特徴とする請求項１に記載の作業用接地外し確認装置。
【請求項３】
変電所に設置された請求項１又は２に記載の作業用接地外し確認装置と、
前記変電所に設置され、前記作業用接地外し確認装置及び各機器の動作を監視・制御する遠隔監視制御装置と、
前記遠隔監視制御装置とデータ及び信号を相互に送受信可能に接続し、前記遠隔監視制御装置を制御する制御所に設置された制御所制御装置と、
を含み、
前記作業用接地外し確認装置は、前記送電線に作業用接地が接続しているか否かを判定した結果を前記遠隔監視制御装置に送信可能に構成され、
前記制御所制御装置は、前記変電所の遮断器投入に先立ち、前記送電線に作業用接地が接続しているか否か判断し、前記作業用接地が接続していないと判断すると前記遮断器を投入するように制御することを特徴とする制御システム。
【請求項４】
前記制御所制御装置は、前記変電所の遮断器投入に先立ち、前記接地検出用変圧器に交流電源を供給する回路が開いているか否か判断し、当該回路が開いていると判断すると前記遮断器を投入するように制御することを特徴とする請求項３に記載の制御システム。
【発明の詳細な説明】
【技術分野】
【０００１】
本発明は、作業用接地が送電線から取外されているか否かを確認するための作業用接地外し確認装置、及び変電所の遮断器を制御する制御システムに関する。
【背景技術】
【０００２】
送電線の点検、修理などの作業を行う際には、対象区間の送電線を停電させ、さらに他の電路からの誘導や誤送電による感電の危険を防止するため、接地器具を用いて短絡接地（以下、作業用接地と記す）して作業者の安全を確保している。しかし、作業者にとっての安全策である作業用接地も、作業完了後に外し忘れると、送電をしたと同時に短絡状態となり、広範囲で電圧低下などの影響が発生するので作業完了後の作業用接地の外し確認は重要である。本明細書において、特に断らない限り「作業」は、送電線を停電させて行う送電線の点検、修理などの作業をいう。
【０００３】
作業用接地の外し確認は、通常、現場作業者から遮断器を操作する制御所の担当者への無線又は電話による連絡によって行われる。そのため勘違い、思い込み、曖昧な連絡等により人為的ミスが発生する恐れがある。これに対してこれまでにこの問題を解決するための方法が幾つか提案されている。
【０００４】
特許文献１には、送電線への電力の供給が停止されている場合、スイッチを介して送電線と電源とを接続し、電源と接地との間に継電器を設け、作業用接地線が接地されているとき電源、スイッチ、送電線、作業用接地線、接地、継電器で形成される回路を流れる電流から作業用接地線の存在を検出する作業用接地線検出装置が示されている。
【０００５】
また特許文献２には、充電中の隣接運転回線に隣接する停止回線のアース外し確認装置として、停電作業前に安全配慮用アースのみ停止回線に取付けたときの安全配慮用アースに流れる電流値と、停電作業後に作業用アース（作業用接地）を停止回線から外したとき安全配慮用アースに流れる電流値とから作業用アースが安全配慮用アースよりも先に外されたか否か判定する装置が示されている。
【先行技術文献】
【特許文献】
【０００６】
【特許文献１】特開２００８−２８３７６５号公報
【特許文献２】特開２０１５−４７００１号公報
【発明の概要】
【発明が解決しようとする課題】
【０００７】
特許文献１に記載の作業用接地線検出装置は、接地の有無を直接的に確認する方法であるから作業用接地が外されているか否か確実に検出することができるが、この作業用接地線検出装置は、部品数が多く構造が複雑である。
【０００８】
特許文献２に記載のアース外し確認装置は、装置構成が簡便であるが誘導電流を測定して作業用接地が外されているか否かを確認する間接的方法ゆえ確実性が懸念される。また隣接回線からの電磁誘導電流を測定して判断しているので、１回線送電線の場合や２回線送電線の２回線停電など隣接回線からの電磁誘導が期待できない場合には使用できない。
【０００９】
本発明の目的は、簡単な構成で確実に作業用接地外しの確認が行える作業用接地外し確認装置、及び変電所の遮断器の投入を適切に制御することができる制御システムを提供することである。
【課題を解決するための手段】
【００１０】
本発明は、高圧側の一端を送電線に、高圧側の他端を大地と接続する接地検出用変圧器と、前記接地検出用変圧器の低圧側に交流電源を供給する電源回路、前記接地検出用変圧器の低圧側と前記電源回路との間に介装された電流測定回路、前記送電線に作業用接地が接続しているか否かを判定する判定回路を備える確認装置と、を含み、電源供給が停止されている前記送電線に対して、前記電源回路から前記接地検出用変圧器に交流電源を供給し、このとき前記電流測定回路が検出する電流と予め設定された閾値とを比較し前記送電線に作業用接地が接続しているか否かを判定することを特徴とする作業用接地外し確認装置である。
【００１１】
本発明の作業用接地外し確認装置において、前記閾値は、電源供給が停止されている前記送電線に対して予め取得された、前記送電線に作業用接地が接続されていない状態で前記電源回路から前記接地検出用変圧器に交流電源を供給したとき、前記電流測定回路が検出する電流値、及び／又は、前記送電線に作業用接地が接続された状態で前記電源回路から前記接地検出用変圧器に交流電源を供給したとき、前記電流測定回路が検出する電流値に基づき設定されることを特徴とする。
【００１２】
また本発明は、変電所に設置された前記作業用接地外し確認装置と、前記変電所に設置され、前記作業用接地外し確認装置及び各機器の動作を監視・制御する遠隔監視制御装置と、前記遠隔監視制御装置とデータ及び信号を相互に送受信可能に接続し、前記遠隔監視制御装置を制御する制御所に設置された制御所制御装置と、を含み、前記作業用接地外し確認装置は、前記送電線に作業用接地が接続しているか否かを判定した結果を前記遠隔監視制御装置に送信可能に構成され、前記制御所制御装置は、前記変電所の遮断器投入に先立ち、前記送電線に作業用接地が接続しているか否か判断し、前記作業用接地が接続していないと判断すると前記遮断器を投入するように制御することを特徴とする制御システムである。
【００１３】
また本発明の制御システムにおいて、前記制御所制御装置は、前記変電所の遮断器投入に先立ち、前記接地検出用変圧器に交流電源を供給する回路が開いているか否か判断し、当該回路が開いていると判断すると前記遮断器を投入するように制御することを特徴とする。
【発明の効果】
【００１４】
本発明によれば、簡単な構成で確実に作業用接地外しの確認が行える作業用接地外し確認装置、及び変電所の遮断器の投入を適切に制御することができる制御システムを提供することができる。
【図面の簡単な説明】
【００１５】
【図１】本発明の第１実施形態の作業用接地外し確認装置１１が組み込まれた変電所の制御システム１である。
【図２】本発明の第１実施形態の作業用接地外し確認装置１１の確認装置２１の構成図である。
【図３】本発明の第１実施形態の作業用接地外し確認装置１１の作業用接地外しの判定要領を説明するための図である。
【図４】図１の変電所の制御システム１の使用例を説明するための模式図である。
【図５】図１の変電所の制御システム１の使用例を説明するための模式図である。
【図６】図１の変電所の制御システム１の制御手順を示すフローチャートである。
【発明を実施するための形態】
【００１６】
図１は、本発明の第１実施形態の作業用接地外し確認装置１１が組み込まれた変電所の制御システム１、図２は、本発明の第１実施形態の作業用接地外し確認装置１１の確認装置２１の構成図、図３は、本発明の第１実施形態の作業用接地外し確認装置１１の作業用接地外しの判定要領を説明するための図である。図４及び図５は、図１の変電所の制御システム１の使用例を説明するための模式図、図６は、図１の変電所の制御システム１の制御手順を示すフローチャートである。
【００１７】
本発明の第１実施形態の変電所の制御システム１は、送電端であるＡ変電所と受電端であるＢ変電所とを結ぶ送電線１０１に作業用接地１０５が取付けられているか否かを判定し、これを遮断器１１１、１１２の開閉制御に使用する制御システムであり、作業用接地外し確認装置１１と、遠隔監視制御装置５１、５２と、制御所制御装置２０１とを含む。
【００１８】
作業用接地外し確認装置１１は、送電線１０１に作業用接地１０５が取付けられているか否かを判定する装置であり（図３参照）、送電端変電所であるＡ変電所に設置される送電線１０１と接続する接地検出用変圧器１３と、接地検出用変圧器１３に交流電源を供給し、回路を流れる電流値に基づき作業用接地１０５が取付けられているか否かを判定する確認装置２１とを含む。
【００１９】
接地検出用変圧器１３は、高圧側の一端１４を送電端変電所であるＡ変電所の遮断器１１１の線路側に接続し、高圧側の他端１５を大地に接続し、低圧側を確認装置２１の電圧・電流測定回路２３と接続する。接地検出用変圧器１３の高圧側電圧は、６６ｋＶ又は１１０ｋＶ、低圧側電圧は１００Ｖである。
【００２０】
確認装置２１は、接地検出用変圧器１３に交流電源を供給し、回路を流れる電流値に基づき作業用接地１０５が取付けられているか否かを判定する装置であり、接地検出用変圧器１３に交流電源を供給する交流電源回路２５と、接地検出用変圧器１３と交流電源回路２５のスイッチ２７との間に介装された電圧・電流測定回路２３と、電源供給等を制御する制御回路３３、作業用接地１０５が取付けられているか否かを判定する判定回路３５及び通信回路３７を備える。
【００２１】
交流電源回路２５は、接地検出用変圧器１３の低圧側に１００Ｖの交流電源を供給する回路であり、接地検出用変圧器１３との間の回路を開閉するスイッチ２７を有する。交流電源回路２５は、制御回路３３と接続し、接地検出用変圧器１３の低圧側に１００Ｖの交流電源を供給するためのスイッチ２７の開閉は、制御回路３３が制御する。
【００２２】
電圧・電流測定回路２３は、接地検出用変圧器１３の低圧側と交流電源回路２５のスイッチ２７とを結ぶ回路２９に介装され、当該回路２９の電圧及び電流を測定する。電圧測定手段及び電流測定手段には公知の手段を使用することができる。ここでは対地間電圧を測定すべく回路２９に接地線３１が取付けられている。
【００２３】
制御回路３３は、交流電源回路２５と接続し、接地検出用変圧器１３の低圧側に印加する交流電源のタイミングを制御する。また制御回路３３は、判定回路３５とデータ、信号を相互に送受信可能に接続し、作業用接地１０５が取付けられているか否かを判定するように判定回路３５を制御し、さらに判定回路３５で判定された判定結果を受信し、当該判定結果を遠隔監視制御装置５１を介して制御所制御装置２０１に送るように制御する。
【００２４】
判定回路３５は、送電線１０１に作業用接地１０５が取付けられているか否かを判定する回路であり、電圧・電流測定回路２３と接続し、電圧・電流測定回路２３が検出する電流値と予め定められた閾値とを比較し、送電線１０１に作業用接地１０５が取付けられているか否かを判定する。
【００２５】
判定回路３５で使用する閾値及び判定回路３５の判定要領について説明する。図３（Ａ）は、Ａ変電所及びＢ変電所と結ぶ送電線１０１に接続する遮断器１１１、１１２が開いた状態、つまり電源供給が停止されている状態の送電線１０１を示す。このときＡ変電所に設置された接地開閉器１１３及びＢ変電所に設置された接地開閉器１１４も開いた状態である。送電線１０１には作業用接地１０５は取付けられていない。
【００２６】
このような状態の送電線１０１に対して、確認装置２１を動作させ接地検出用変圧器１３の低圧側に１００Ｖ交流電源を印加すると充電電流が流れるため、電圧・電流測定回路２３はこの電流値Ａ０を検出する（図３（Ａ）参照）。
【００２７】
一方、図３（Ｂ）は、図３（Ａ）と同様の電源供給が停止されている送電線１０１に作業用接地１０５が取付けられた状態である。このような状態の送電線１０１に対して、確認装置２１を動作させ接地検出用変圧器１３の低圧側に１００Ｖ交流電源を印加すると、交流電源回路２５、電圧・電流測定回路２３、接地検出用変圧器１３、送電線１０１、作業用接地１０５、大地を結ぶ回路が形成されるため電流値Ａ１が流れ、電圧・電流測定回路２３はこれを検出する（図３（Ｂ）参照）。ここで検出される電流値Ａ１は、電流値Ａ０に比較して十分大きい。
【００２８】
上記電流値Ａ０及び電流値Ａ１は、送電線１０１の長さ、作業用接地１０５の数などにより異なることが予想され、一律に電流値Ａ０及び電流値Ａ１を定めることは難しいが、予めＡ変電所とＢ変電所とを結ぶ送電線１０１に対して作業用接地外し確認装置１１を用いて電流値Ａ０及び電流値Ａ１を求めておけば、その送電線１０１に対してはその電流値Ａ０及び電流値Ａ１を使用することができる。なお電流値Ａ１を測定する際は、作業用接地１０５は、作業用接地外し確認装置１１からできるだけ離れた位置に設置するのがよい。
【００２９】
電流値Ａ０及び電流値Ａ１は、送電線１０１の長さ、作業用接地１０５の数などにより異なるものの、その送電線１０１の電流値Ａ１／電流値Ａ０は非常に大きい値となり、電流値Ａ１と電流値Ａ０とは明確に区別することができる。よってこれを用いることで送電線１０１に対する作業用接地１０５の接続有無を確認することができる。換言すれば、本方法は、作業用接地１０５の接続有無時の送電線路の対地間抵抗を検出し、これから送電線１０１に作業用接地１０５が接続されているか否かを判定する方法と言える。
【００３０】
判定回路３５を用いての送電線１０１に作業用接地１０５が取付けられているか否かの判定は、送電線１０１に対して予め取得された電流値Ａ０、又は電流値Ａ１を基に閾値を設定し、この閾値と電圧・電流測定回路２３が検出する電流値Ａとを比較することで行うことができる。例えば、判定回路３５は、電流値Ａ０に安全率αを乗算したαＡ０を閾値とし、電圧・電流測定回路２３が検出する電流値ＡがαＡ０を上回れば作業用接地１０５が取付けられていると判定する。電流値Ａ１を閾値として採用する場合、電圧・電流測定回路２３が検出する電流値Ａと電流値Ａ１との比Ａ／Ａ１が○〜○の範囲内であれば、作業用接地１０５が取付けられていると判定する。
【００３１】
通信回路３７は、制御回路３５及び遠隔監視制御装置５１とデータ、信号を相互に送受信可能に接続する。
【００３２】
確認装置２１のうち、制御回路３３、判定回路３５、通信回路３７については、コンピュータ、プログラマブルロジックコントローラ等を用い、これらを制御回路３３等として動作させるためのプログラムをインストールすることで実現することができる。
【００３３】
遠隔監視制御装置５１は、Ａ変電所に設置され各機器を監視制御する。具体的には通信回線１５１を介して制御所制御装置２０１とデータ、信号を相互に送受信可能に接続し、制御所制御装置２０１からの指令に基づき作業用接地外し確認装置１１及び遮断器１１１等の動作を制御し、作業用接地外し確認装置１１が判定した作業用接地１０５の有無情報等を制御所制御装置２０１に送信する。遠隔監視制御装置５１は、制御所制御装置２０１からの指令に基づきＡ変電所に設置された接地開閉器１１３の開閉も制御する。
【００３４】
同様にＢ変電所には、各機器を監視制御する遠隔監視制御装置５２が設置され、制御所制御装置２０１からの指令に基づき遮断器１１２及び接地開閉器１１４の開閉を制御する。
【００３５】
制御所制御装置２０１は、制御所に設置された制御装置であり、遠隔監視制御装置５１を介して送電線１０１に作業用接地１０５が取付けられているか否か等のデータを受信し、遠隔監視制御装置５１、遠隔監視制御装置５２を介して遮断器１１１、１１２等の開閉を制御する。
【００３６】
次に、制御システム１の使用例及び制御手順について説明する。作業用接地外し確認装置１１による作業用接地１０５の接続有無の確認要領もこの中で説明する。図４及び図５は、送電線１０１を停電させ作業用接地１０５を送電線１０１に取付けるところから送電線１０１の送電を再開するまでの手順を示す模式図である。
【００３７】
Ａ変電所とＢ変電所とを結ぶ送電線１０１の停電は、遮断器１１１及び遮断器１１２を開くことで行われる（図４（１）参照）。続いてＡ変電所及びＢ変電所に設置された接地開閉器１１３及び接地開閉器１１４を閉じ接地が行われる（図４（２）参照）。遮断器１１１、遮断器１１２の開放、接地開閉器１１３、１１４の投入は、制御所制御装置２０１からの指令に基づき行われる。
【００３８】
接地開閉器１１３及び接地開閉器１１４による接地後、作業に先立ち停電中の送電線１０１に対して作業者により作業用接地１０５が取付けられる（図４（３）参照）。ここでは３か所に作業用接地１０５を取付ける例を示しているが、作業状況に応じて作業用接地１０５を取付ければよく、設置数は特に限定されるものではない。
【００３９】
作業終了後、送電線１０１に設置した作業用接地１０５が作業者により取外される（図５（４）参照）。作業用接地１０５が取外された後の状態は、図４（２）と同じく接地開閉器１１３及び接地開閉器１１４を通じた接地が行われている。作業員が送電線１０１に設置した作業用接地１０５を取外すと、その旨を制御所の担当者に連絡し、その後、制御所制御装置２０１からの指令に基づき接地開閉器１１３及び接地開閉器１１４が開かれる（図５（５）参照）。
【００４０】
従来は、作業員が作業用接地１０５を取外した旨の連絡を行うと、接地開閉器１１３及び接地開閉器１１４が開放され、続いて遮断器１１１及び遮断器１１２が投入され送電が開始されていたが、本制御システム１では、次の手順により送電線１０１に設置された作業用接地１０５が取外されていること、さらには確認装置２１が所定の状態であることを確認し、その後に遮断器１１１及び遮断器１１２を投入するように制御する。
【００４１】
送電線１０１が図５（５）の状態で制御所制御装置２０１を介して遮断器１１１及び遮断器１１２の「入」操作が実行されると（ステップＳ１）、制御所制御装置２０１は、接地外し確認装置１１に対して送電線１０１に対する作業用接地１０５の接続の有無を判定し、その結果を送信するように指令を発する（ステップＳ２）。
【００４２】
確認装置２１は、制御所制御装置２０１から上記指令を受けると、交流電源回路２５のスイッチ２７を「入」とし、接地検出用変圧器１３の低圧側に１００Ｖ交流電源を印加し（ステップＳ３）、電圧・電流測定回路２５を介して回路２９を流れる電流値Ａを測定する（ステップＳ４）。
【００４３】
確認装置２１は、判定回路３５において電流値Ａと予め設定された閾値とを比較し、送電線１０１に設置された作業用接地１０５が取外されているか判定する（ステップＳ５）。判定後、確認装置２１は、交流電源回路２５のスイッチ２７を「切」とし（ステップＳ６）、判定結果及び交流電源回路２５のスイッチ２７を「切」とした情報を制御所制御装置２０１に送信する（ステップＳ７）。
【００４４】
制御所制御装置２０１は、確認装置２１からの情報に基づき、送電線１０１から作業用接地１０５が取外されており（ステップＳ８）、かつ確認装置２１の交流電源回路２５が「切」となっていると判断すると（ステップＳ９）、遮断器１１１及び遮断器１１２の投入指令を発する（ステップＳ１０）。これにより遮断器１１１及び遮断器１１２が閉じ、送電線１０１に送電が再開される（図５（６）参照）。
【００４５】
一方、制御所制御装置２０１は、確認装置２１からの情報に基づき、送電線１０１から作業用接地１０５が取外されていないと判断すると（ステップＳ８）、制御所制御装置２０１に警報を発し、遮断器１１１及び遮断器１１２の「入」操作を中止する（ステップＳ１１）。
【００４６】
警報が発せられた後は、作業用接地１０５が接続されているか現地で確認し、接続されていることが確認されれば、接地開閉器１１３及び接地開閉器１１４を閉じ接地した後、作業用接地１０５を取外す。その後、接地開閉器１１３及び接地開閉器１１４を開き、接地を解除した後に、再度、ステップＳ１の遮断器１１１及び遮断器１１２の「入」操作を実行すればよい。
【００４７】
また制御所制御装置２０１は、確認装置２１からの情報に基づき、送電線１０１から作業用接地１０５が取外されているが（ステップＳ８）、確認装置２１の交流電源回路２５が「切」となっていないと判断すると（ステップＳ９）、制御所制御装置２０１に警報を発し、接地外し確認装置１１に対して確認装置２１の交流電源回路２５を「切」とする指令を発する（ステップＳ１２）。これに基づき確認装置２１は、交流電源回路２５のスイッチ２７を開くように制御した後（ステップＳ１３）、交流電源回路２５の状態情報を制御所制御装置２０１に送信する（ステップＳ１４）。
【００４８】
制御所制御装置２０１は、確認装置２１からの情報により確認装置２１の交流電源回路２５が「切」となっていると判断すると（ステップＳ９）、遮断器１１１及び遮断器１１２の投入指令を発する（ステップＳ１０）。これにより遮断器１１１及び遮断器１１２が閉じ、送電線１０１に送電が再開される。
【００４９】
上記実施形態で説明するように本発明の作業用接地外し確認装置は、送電線に高圧側を接続した接地検出用変圧器の低圧側に交流電源を印加したとき、作業用接地が接続されているか否かで接地検出用変圧器と交流電源とを結ぶ回路を流れる電流値が異なることを利用して、換言すれば送電線路の対地間抵抗を検出し作業用接地外しを確認する。この方法は、作業用接地の接続有無を直接的に確認する方法であり、この方法を使用した作業用接地外し確認装置は、簡便な構成でありながら確実に作業用接地外しの確認が行える。
【００５０】
また本発明の制御システムは、遮断器の開閉を制御する制御所の制御装置が、遮断器の「入」操作が行われても送電線に作業用接地が接続していないと判断しない限り、遮断器の「投入」指令を発しないので送電線の送電再開を安全に行うことができる。また遮断器の「投入」指令を発する条件として、さらに作業用接地外し確認装置の接地検出用変圧器と交流電源との間が遮断されていることも追加可能であり、より安全に送電線の送電を再開することができる。
【００５１】
本発明の作業用接地外し確認装置及び制御システムは、上記実施形態に限定されるものではなく、要旨を変更しない範囲で変更して使用することができる。作業用接地外し確認装置は、基本的には送電端側変電所の遮断器の線路側に接続すればよいが、受電端側変電所の遮断器の線路側にも設けてもよい。
【００５２】
三相の送電線の作業を行う場合には、作業用接地として三相まとめて接地を行う三相短絡接地が行われる。ここで使用される一般的な三相短絡接地器は、各相に取付けられる短絡機器が短絡線で相互に接続された後、１つアース線が接地される。三相短絡接地器が取外されるときには、基本的に三相の短絡機器がいっしょに取外されるため、本発明の作業用接地外し確認装置もいずれか一相に設置してもよい。但し、安全のためには三相それぞれに本発明の作業用接地外し確認装置を設置するのがよい。
【００５３】
三相それぞれに本発明の作業用接地外し確認装置を設けた場合、制御所制御装置は、各相毎に作業用接地の接続有無、作業用接地外し確認装置の接地検出用変圧器と交流電源との間の遮断を確認し、三相とも作業用接地が取外されており、かつ接地検出用変圧器と交流電源との間が遮断されていると判断したとき、各相の遮断器を投入するように制御すればよい。
【００５４】
三相それぞれに本発明の作業用接地外し確認装置を設けた場合、接地検出用変圧器、電圧・電流測定回路及び交流電源回路は各相毎に必要であるが、制御回路、判定回路及び通信回路をコンピュータを用いてソフトウエア的に実行させれば、この部分については三相で共用できる。
【００５５】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００５６】
１  制御システム
１１  作業用接地外し確認装置
１３  接地検出用変圧器
２１  確認装置
２３  電圧・電流測定回路
２５  交流電源回路
２７  スイッチ
２９  回路
３３  制御回路
３５  判定回路
３７  通信回路
５１、５２  遠隔監視制御装置
１０１  送電線
１０５  作業用接地
１１１、１１２  遮断器
１１３、１１４  接地開閉器
２０１  制御所制御装置
【図１】
2018102024.tif 000003
【図２】
2018102024.tif 000004
【図３】
2018102024.tif 000005
【図４】
2018102024.tif 000006
【図５】
2018102024.tif 000007
【図６】
2018102024.tif 000008